(57)【要約】【課題】複製データの管理状況をデータと同時に表示すると共に、複製データの保存先を明示することを目的とする。【解決手段】記録装置にデータを記録し、データを表示する情報処理装置であって、複製データ記録手段にデータの複製データが記録されている状況に係る確信度を決定する確信度決定手段と、複製データの記録先を表す画像オブジェクトを生成する画像オブジェクト生成手段と、画像オブジェクトを、確信度決定手段において決定された確信度に応じて変化させて、データと共に表示する表示手段と、を有することによって課題を解決する。【選択図】図１
2008033786.tif 000002
【特許請求の範囲】
【請求項１】
記録装置にデータを記録し、前記データを表示する情報処理装置であって、
複製データ記録手段に前記データの複製データが記録されている状況に係る確信度を決定する確信度決定手段と、
前記複製データの記録先を表す画像オブジェクトを生成する画像オブジェクト生成手段と、
前記画像オブジェクトを、前記確信度決定手段において決定された確信度に応じて変化させて、前記データと共に表示する表示手段と、
を有することを特徴とする情報処理装置。
【請求項２】
前記確信度決定手段は、前記複製データが記録されている前記複製データ記録手段の種類に応じて、前記確信度を決定することを特徴とする請求項１に記載の情報処理装置。
【請求項３】
前記確信度決定手段は、前記複製データが記録されてからの経過時間情報に応じて、前記確信度を決定することを特徴とする請求項１に記載の情報処理装置。
【請求項４】
前記確信度決定手段は、前記複製データ記録手段が情報処理装置に接続されたとき、又は前記複製データ記録手段が情報処理装置に挿入されたときに、前記確信度を決定することを特徴とする請求項１乃至３の何れか１項に記載の情報処理装置。
【請求項５】
前記確信度決定手段は、予め定められた時刻ごとに、前記確信度を更新することを特徴とする請求項１乃至３の何れか１項に記載の情報処理装置。
【請求項６】
前記複製データを作成したユーザを認識するユーザ認識手段を更に有し、
前記表示手段は、前記画像オブジェクトを、前記確信度決定手段において決定された確信度に応じて変化させて、前記データと共に表示すると共に、前記ユーザ認識手段によって認識されたユーザに係るオブジェクトを前記データと共に表示することを特徴とする請求項１乃至５の何れか１項に記載の情報処理装置。
【請求項７】
記録装置にデータを記録し、前記データを表示する情報処理装置における情報処理方法であって、
複製データ記録手段に前記データの複製データが記録されている状況に係る確信度を決定する確信度決定ステップと、
前記複製データの記録先を表す画像オブジェクトを生成する画像オブジェクト生成ステップと、
前記画像オブジェクトを、前記確信度決定ステップにおいて決定された確信度に応じて変化させて、前記データと共に表示する表示ステップと、
を有することを特徴とする情報処理方法。
【請求項８】
請求項７に記載の情報処理方法をコンピュータに実行させることを特徴とするプログラム。
【請求項９】
請求項８に記載のプログラムを記録したコンピュータ読み取り可能な記録媒体。
【発明の詳細な説明】
【技術分野】
【０００１】
本発明は、情報処理装置及び情報処理方法に関する。
【背景技術】
【０００２】
パーソナルコンピュータ（ＰＣ）等で様々な種類のデータファイルを一覧表示する際、各ファイルに付けられた名前（ファイル名）に加えて、そのファイルの特性に応じたアイコンでそのファイルを表示することが知られている。また、データの縮小版での表現方法として、そのデータの中身を縮小表示することによってデータの内容を視覚的に分かりやすく表現するＧＵＩが広く利用されている。デジタルカメラ等で撮影された複数の画像ファイルを一度に表示する場合等には、サムネイルと呼ばれる縮小画像が用いられる。
【０００３】
しかしながら、このようなファイル名とサムネイルとだけでは、似通ったデータファイルが複数ある場合にそれぞれを判別するのは難しい。
【０００４】
そのため、データファイルをコピーした複製データがあると思い込んで誤って必要なデータを削除してしまうことがある。また、逆に、コピーがないと思って重要なデータの複製をいくつも作成して不要な複製データが複数存在してしまうことも多い。また、複製データの有無が分かっても、どこに保存されているかが分からない場合には、必要なときに見つからないだけでなく、保存先を用途によって変更したいときには使いづらいという問題があった。
【０００５】
そこで、特許文献１では、複製データが他の記録媒体に存在するか否かを管理して、複製データが存在しないデータファイルを削除しようとすると、警告を与えて誤消去を防止する技術が開示されている。
【０００６】
また、特許文献２では、複製データが存在する場合には、データファイルを表示する際に、バックアップの有無、複製データ記録先情報等のバックアップ情報を併せて表示する方法が開示されている。
【０００７】
一方、特許文献３には、データファイルの状態を判別して、状態を示すアイコンをデータファイルと同時に一覧表示する方法が開示されている。
【０００８】
【特許文献１】特開２００４−０６２９５７号公報
【特許文献２】特開２００４−３１８９９１号公報
【特許文献３】特開２０００−０７６１０９号公報
【発明の開示】
【発明が解決しようとする課題】
【０００９】
しかしながら、上述した従来の方法では、複製データの管理状況をデータと同時に表示すると共に、複製データの保存先を明示することはできない問題があった。
【００１０】
本発明はこのような問題点に鑑みなされたもので、複製データの管理状況をデータと同時に表示すると共に、複製データの保存先を明示することを目的とする。
【課題を解決するための手段】
【００１１】
そこで、本発明は、記録装置にデータを記録し、前記データを表示する情報処理装置であって、複製データ記録手段に前記データの複製データが記録されている状況に係る確信度を決定する確信度決定手段と、前記複製データの記録先を表す画像オブジェクトを生成する画像オブジェクト生成手段と、前記画像オブジェクトを、前記確信度決定手段において決定された確信度に応じて変化させて、前記データと共に表示する表示手段と、を有することを特徴とする。
【００１２】
係る構成とすることにより、複製データの管理状況をデータと同時に表示すると共に、複製データの保存先を明示することができる。
【００１３】
ここで、画像オブジェクトとは、例えば後述するアイコン等に対応する。ここで、アイコンとは、後述する表示部１１３等に表示される、処理の内容や対象を絵や記号で表現したものである。また、複製データ記録手段とは、例えば後述するメディアや、ストレージ機器等に対応する。
【００１４】
また、本発明は、情報処理方法、プログラム及び記録媒体としてもよい。
【発明の効果】
【００１５】
本発明によれば、複製データの管理状況をデータと同時に表示すると共に、複製データの保存先を明示することができる。
【発明を実施するための最良の形態】
【００１６】
以下、本発明の実施例について図面に基づいて説明する。
【００１７】
図１は、情報処理装置（例えばＰＣ等）１０１の機能構成を示すブロック図である。図１において、情報処理装置１０１は、記録媒体１０３に保存されるデータを記録媒体ドライブ１０４によって読み出して再生する。また、情報処理装置１０１は、ハードディスク１０５等の記録装置に保存されるデータにもアクセス可能で、このデータを再生する。また、情報処理装置１０１は、記録媒体ドライブ１０４によって新たに複製したデータを記録媒体１０３に保存することや、ハードディスク１０５上にデータを複製することもできる。ここで、何らかのデータが複製される場合には、必ず複製情報記憶部１１２が複製情報を記録する。この複製情報には、複製元データのサイズやアドレス（保存先）、複製データのサイズやアドレス（保存先）、複製データ作成日時、複製データ確認日等が含まれる。
【００１８】
なお、記録媒体１０３や記録媒体ドライブ１０４及びハードディスク１０５の種類は特に限定するものではなく、データの読み書きができ、データの複製が作成できれば何であってもよい。また、図示しないが、情報処理装置１０１は、他の機器とネットワークを通じてやりとりするインタフェース部を有し、接続される機器上に保存されるデータ、或いは挿入されるメディアのデータも扱えるとなおよい。
【００１９】
また、アイコン生成部１０６は、複製情報として複製情報記憶部１１２に保存される、複製データ保存先の機器種類、若しくはメディア種類に合ったアイコンを生成する。アイコン生成部１０６は、予め登録されているアイコンを、対応する保存先機器或いはメディアと関連付けてもよく、或はユーザが、その保存先機器及びメディアに対応する任意のアイコンを作成して登録できるようにしてもよい。出力制御部１０７は、表示部１１３にデータを一覧表示するように制御する。この一覧表示の際には、それぞれのデータに関連付けられる保存先アイコンを表示する。
【００２０】
表示部１１３は、ＣＲＴや液晶、プラズマ、ＳＥＤ等の表示ユニットを有し、出力制御部１０７から出力されるデータを基に、アイコンや各種イメージ、文字等を表示する。入力部１１４は、キーボード、マウス等のポインティングデバイスを有し、ユーザの操作に応じで各種コマンドやデータを入力するのに使用される。
【００２１】
情報処理部１０２は、少なくともＣＰＵ１０８と、このＣＰＵにより実行される処理プログラムを記録するプログラムメモリ１０９と、ＣＰＵ１０８による処理時にワークエリアを提供して各種データを一時的に格納するメモリ１１０と、を有する。アイコン生成部１０６、出力制御部１０７、複製情報確信度決定部１１１、複製情報記憶部１１２の機能は、この処理プログラムと、ＣＰＵ１０８との協働により実現される。なお、処理プログラムは、ハードディスク（ＨＤ）１０５にインストールされており、処理プログラムの実行時に、その処理プログラムがＨＤからＲＡＭ（不図示）にロードされて実行される形式でもよい。
なお、情報処理部１０２は、入力部１１４や、表示部１１３の制御も行う。
【００２２】
図２は、情報処理装置１０１のＧＵＩ（Ｇｒａｐｈｉｃ  Ｕｓｅｒ  Ｉｎｔｅｒｆａｃｅ）により表示部１１３に表示される画像の一例を示す図である。２０１〜２０８のそれぞれは、記録媒体１０３、ハードディスク１０５、或いはネットワーク等で接続される周辺機器に装着されたメディア等に記録されているコンテンツデータの縮小画像を示している。
【００２３】
２０９〜２１６のそれぞれは、それぞれ対応する縮小画像で表示されているコンテンツデータの複製データが保存されているメディア種類及び機器種類を示すアイコンである。例えば、２０９は、ＤＶＤメディアを表すアイコンで、縮小画像２０１で示されるコンテンツデータは複製が作成されてＤＶＤメディアに保存されていることを示している。
【００２４】
同様に、２１１は、ストレージ機器を示すアイコンで、縮小画像２０３で示されるコンテンツデータは、複製がストレージに保存されていることを示す。また、２１２は、デジタルカメラ、２１３は、ＰＣを示すアイコンの一例である。複製が複数作成された場合には、縮小画像２０７上に２１５、２１６のアイコンが示されるように、複数の保存先アイコンが表示される。
【００２５】
一方で、複製が作成されていないコンテンツデータに関しては、縮小画像２０８で示すように、アイコンは何も表示されない。また、２０９、２１０、２１４は、同じＤＶＤメディアのアイコンを示しているが、色等で区別することで、違うメディアであること（複製データの確信度が異なること）を示している。２１１、２１５も同様に、ストレージのアイコンを示しているが、色等を変えることによって複製データの確信度が異なることを示している。
【００２６】
確信度は複製情報確信度決定部１１１によって判定され、決定されるもので、確信度が低いということは、複製データの確認ができないこと、複製情報記憶部１１２に保存される複製データ作成日時が古いこと、等を示す。また、これらを合わせて判断されるものである。例えば、同じ日時に複製データが作成された場合であっても、ＰＣに保存された場合は確信度が高く、一般的に紛失しやすいＤＶＤメディアに保存された場合には確信度が低くなる。もちろん、この設定は機器ごとに情報処理装置１に予め設定できるようにしてもよいし、ユーザによって変更できるようにしてもよい。
【００２７】
例えば、ユーザは、一定のデータ量が保存されると上書きされてしまうストレージや、動作が不安定になったことのあるＰＣや、年式の古いハードディスクレコーダは確信度を低く設定することができる。また、メディアに関しても、ユーザは、付属ケース入りのＣＤメディアは確信度を高くし、付属ケース無しのＣＤメディアは確信度を低く設定する。もちろん、ユーザは、品質の異なるメディアの製造メーカごとに、確信度を設定してもよい。また、ＣＤメディアは保管場所が確保されているが、ＤＶＤメディアは保管場所がばらばらになりがちなユーザの場合には、ＣＤメディアの確信度を高く設定すればよい。
【００２８】
以上述べたように、例えばＣＤメディアだけを見ても、複製日時、メディア種類、保管場所等で、確信度が異なる。本実施形態のアイコンは複製データの有無だけを表すものではなく、確信度に応じて変化するものである。このように複製情報の状態によって対応付けられる確信度は、対応表等としてハードディスク１０５等に記録され、複製情報確信度決定部１１１によって参照される。
【００２９】
また、複製情報確信度決定部１１１は、予め設定される日時等に、複製データが存在するかどうか、その内容が元データと同じかどうか調べて確認する複製情報自動確認部としても動作する。また、複製情報確信度決定部１１１は、メディアが挿入された場合、周辺機器が接続された場合等に、複製情報記憶部１１２に関連データがあるか、正しいか、を確認する接続時確認部としても動作する。確認は、関連データがあれば、挿入されたメディア或いは接続された周辺機器、若しくは複製情報記憶部１１２に保存される保存先のメディア複製データ或いは周辺機器複製データと比較することで行われる。
【００３０】
比較対象はデータ内容の他、データサイズだけでもよい。複製情報確信度決定部１１１は、比較結果が同じであれば、複製データは正しいとして複製情報記憶部１１２に確認日時を記憶する。なお、周辺機器が接続されたかどうかは、情報処理装置１０１と周辺機器との間の機器間通信プロトコルとして、例えばＵＰｎＰ（Ｕｎｉｖｅｒｓａｌ  Ｐｌｕｇ  ａｎｄ  Ｐｌａｙ）等を用いて判断することができる。このＵＰｎＰによれば複数の機器を様々なネットワークに直接接続でき、また機器間でデータのやり取りができるので、ある機器からネットワークに接続される他の機器の存在や機能を知ることもできる。
【００３１】
ところで、図２では、縮小画像、その縮小画像が示すコンテンツデータの複製データが保存されている機器及びメディアを表すアイコン、その縮小画像のファイル作成日、ファイル名を表示しているが、本実施形態はこれに限定されるものではない。また、これら画像やアイコン、ファイル名等の並びや組み合わせも問わない。アイコンに関しても必ず表示するのではなく、ユーザが表示を設定したものや、確信度が高い状態にあるもの、等のみアイコン表示するようにしてもよい。もちろん、アイコンの画像も一例であり、画像だけでなくテキストでアイコンの表す機器及びメディアを併記してもよい。更に、この一覧表示には複製データの保存先だけでなく、ネットワークに接続される機器であれば、情報処理装置１０１自体が有するデータとは限らないので、実際のデータ保存場所も同時に示すようにしてもよい。
【００３２】
（第１の実施形態）
図３は、情報処理装置１０１において、データを一覧表示する際の動作例を示すフローチャートである。図３に示される処理を実行するプログラムは情報処理部１０２のプログラムメモリ１０９に記録されＣＰＵ１０８の制御の下に実行される。なお、この処理は、データ検索による検索結果を示す際や、コンテンツデータの再生リストを作成した場合に、それを表示する際等に始まる。
【００３３】
まず、情報処理装置１０１は、アクセス可能なデータを一覧表示する際に、複製情報記憶部１１２を参照し、一覧表示させるデータに対応する複製情報が存在するどうかを確認する（ステップ３０１）。ここで、情報処理装置１０１は、アクセス可能なデータ全ての複製情報を調べてもよいが、一覧表示として表示部１１３に表示させる分、若しくは、表示させる分と表示が必要になると予測される分とのデータについて調べるようにしてもよい。これにより、アクセス可能なデータが膨大になると、複製情報を調べるのに時間がかかってしまうのを防ぐ。つまり、情報処理装置１０１は、一覧表示が一画面に収まらない場合は、実際に表示が必要になる分のみの複製情報を調べる。
【００３４】
一覧表示は、ユーザの入力部１１４への指示等によって、次の一覧表示に切り替わるので、スクロール数回分の一覧表示データに関して予め複製情報を得るように制御することで、一覧表示を高速化できる。また、一度取得した複製情報は、メモリ１１０に記録したり、実際のデータに結び付けて保存したりしておくことで、二度目の表示からは取得が不要になるようにしてもよい。但し、この場合も、取得してから任意の時間が経過した複製情報に関しては、複製情報の変更を反映するために、改めて複製情報を取得するのが好ましい。
【００３５】
次に、ステップ３０２において、情報処理装置１０１は、複製情報を取得する。続けてステップ３０３において、情報処理装置１０１は、複製情報確信度決定部１１１で、ステップ３０２において取得した複製情報から、複製データの確信度を決定する。なお、確信度を決定する処理の詳細は、後述する図７に示す。また、情報処理装置１０１は、アイコン生成部１０６で、複製データの保存先を参照すると共に、決定した確信度を用いて、該当する複製データ保存先を示すアイコンを生成（又は取得）する。
【００３６】
ここで、ハードディスク１０５或いはアイコン生成部１０６は、図４に示すようなアイコン画像と、機器又はメディアと、の対応表を保持しておく。図４は、情報処理装置１０１のＧＵＩにより表示部１１３に表示されるアイコン画像と、機器又はメディアと、の対応表の一例を示す図である。
【００３７】
アイコン生成部１０６は、この対応表より、複製情報から得られる複製データ保存先に対応するアイコンを取得する。なお、複製情報確信度決定部１１１は、複製情報から複製データ作成日時又は複製データ確認日時を取得することで確信度を決定する。例えば、複製情報確信度決定部１１１は、複製情報から得られる日時と、現在日時と、を比較して経過年数を計算し、経過年数によって確信度を決定する。
【００３８】
確信度によってアイコンの色を変更する場合に用いる対応表を図５に示す。図５は、情報処理装置１０１のＧＵＩにより表示部１１３に表示されるアイコン画像の色と、確信度と、の対応表の一例を示す図である。ハードディスク１０５或いは複製情報確信度決定部１１１は、図５に示されるようなアイコン画像アイコン画像の色と、確信度と、の対応表を保持しておく。
【００３９】
図５では、経過年数が長いほど確信度が低くなって、アイコンが暗い色で表現されることを示している。もちろん、上述したように、確信度は経過年数のみによって判断されるものではない。保存メディアの信頼度、保存機器の信頼度等、他の確信度についても、図５と同様、対応表において、アイコン画像の色と対応づけを行ってもよい。
【００４０】
次に、ステップ３０４において、情報処理装置１０１は、作成したアイコンを一覧表示データに関連付けて表示する。そして、情報処理装置１０１は、図３に示す処理を終了する。
【００４１】
ここで、情報処理装置１０１は、アイコンを確信度ごとに保持してもよいが、ビットマップデータではなく、例えばＸＭＬデータで保持するデータとすれば、表示時に色を設定することができる。よって、図４に示したような対応表から得られるアイコン画像と、図５に示した対応表から得られる色と、を合わせて、確信度に応じて色を変化させたアイコンを表示することができる。
【００４２】
また、確信度にユーザが設定する好みの色を結び付けることもできる。ＤＶＤメディアを確信度に応じて色分けで表現する際の例を図６に示す。図６は、情報処理装置１０１のＧＵＩにより表示部１１３に表示されるＤＶＤメディアを確信度に応じて色分けで表現する場合の一例を示す図である。
【００４３】
この例では、情報処理装置１０１は、複製情報記憶部１１２に記憶される、複製データ作成時からの経過年数、或いは、複製情報確信度決定部１１１において複製データが確認された日時からの経過年数を確信度に用いている。もちろん、複製データの確信度が決定できるものであれば、この決定方法に限定するものではない。また、ここでは分かりやすくするために、確信度を３段階にしているが、情報処理装置１０１は、重み付けをしたさまざまな要因から確信度を算出し、算出結果を基に色等のアイコンに変化をつけるための要素を決定できるようにしてもよい。
【００４４】
例えば、情報処理装置１０１は、複製データの確信度をパーセンテージと比例させて、モノクロで表示するアイコンの黒色を決定することで、確信度が高くなるほど、黒を濃く、低くなるほど黒を薄く白へと近づけていくことができる。また、情報処理装置１０１は、色だけでなく、確信度が低くなるほど、輪郭線がない部分を増やしたり、透過性を高くしたりすることで、アイコンの印象をぼやけさせるようにしてもよい。このようにすることによって、ユーザは直感的に複製データの確信度が低いことが分かる。
【００４５】
図７は、複製情報確信度決定部１１１によって、確信度を決定する際の動作例を示すフローチャートである。なお、図７に示される処理を実行するプログラムは情報処理部１０２のプログラムメモリ１０９に記録されＣＰＵ１０８の制御の下に実行される。
【００４６】
まずステップ１２０１において、複製情報確信度決定部１１１は、複製情報から保存先を取得する。続いて、ステップ１２０２において、複製情報確信度決定部１１１は、取得した保存先に基づいて、ハードディスク１０５等に記録され対応表より、対応する確信度（保存先確信度）を取得する。これにより、確信度が一部決定する。
【００４７】
続いて、ステップ１２０３において、複製情報確信度決定部１１１は、複製情報から複製情報作成日時を取得する。続いて、ステップ１２０４において、複製情報確信度決定部１１１は、取得した複製情報作成日時と、現在日時と、を比較して、経過年数（又は経過日時等）を算出する。そして、複製情報確信度決定部１１１は、算出した経過年数等に基づいて、ハードディスク１０５等に記録され対応表より、対応する確信度（経過確信度）を取得する。
【００４８】
続いて、ステップ１２０５において、複製情報確信度決定部１１１は、ユーザによって設定される、確信度を決定するための要素が他にあるどうかを調べる。要素があれば、ステップ１２０６において、複製情報確信度決定部１１１は、ユーザによって設定された該当する確信度をハードディスク１０５等に記録される対応表から取得する。
【００４９】
ステップ１２０７において、複製情報確信度決定部１１１は、ここまでに取得された確信度を基に、全体の確信度を算出する。なお、全体の確信度を算出する際、複製情報確信度決定部１１１は、それぞれの確信度の平均値から全体の確信度を算出してもよいし、一番確信度の低いものや、又は一番確信度の高いものを全体の確信度として用いるようにしてもよい。若しくは、それぞれの確信度の重み付け等がハードディスク１０５等に設定、記録されており、複製情報確信度決定部１１１は、全体の確信度の計算の際に、その重み付けを参照して、全体の確信度を算出するようにしてもよい。
【００５０】
図８は、複製情報自動確認部及び接続時確認部を兼ねる複製情報確信度決定部１１１により、複製情報を確認する際の動作例を示すフローチャートである。図８に示されるような処理により、予め設定される日時に、又は日時間隔ごとに、又は機器が接続されたときに、又はメディアが挿入されたときに、複製情報を確認することができる。なお、図８に示される処理を実行するプログラムは情報処理部１０２のプログラムメモリ１０９に記憶されＣＰＵ１０８の制御の下に実行される。また、図８に示される処理は、設定されたタイミングでタイマのイベントを受け付けること、或いは、機器の接続、メディアの挿入を検知したことによって起動される。
【００５１】
イベント等の検知によって処理が起動されると、まずステップ１３０１において、複製情報確信度決定部１１１は、複製情報を調べる。続いて、ステップ１３０２において、複製情報確信度決定部１１１は、ステップ１３０１において対象の複製データを調べる。ここで、複製情報確信度決定部１１１は、タイマイベントならばアクセス可能な複製データを調べ、機器の接続ならば機器に保存される複製データを調べ、メディアの挿入ならばメディアの複製データを調べる。
【００５２】
続いて、ステップ１３０３において、複製情報確信度決定部１１１は、調べた複製データの内容を確認する。続いて、ステップ１３０４において、複製情報確信度決定部１１１は、ステップ１３０３において確認された内容がよいかどうかを調べる。例えば、複製データが在ることが確認できた場合や、複製データが元データと同じだった場合等には、複製情報確信度決定部１１１は、内容がよいと判断し、ステップ１３０５に進む。逆に、例えば、複製データが在ることが確認できなかった場合や、複製データが元データと異なっていた場合等には、複製情報確信度決定部１１１は、内容が悪いと判断し、ステップ１３０６に進む。
【００５３】
ステップ１３０５において、複製情報確信度決定部１１１は、内容がよいと判断した複製データに関する確信度（又は複製データに関する複製情報の確信度）を上げる。一方、ステップ１３０６において、複製情報確信度決定部１１１は、内容が悪いと判断した複製データに関する確信度（又は複製データに関する複製情報の確信度）を下げる。なお、確信度が決定されていない場合は、複製情報確信度決定部１１１は、デフォルト値（例えば、５）から確信度を１上げたり、１下げたりする。
【００５４】
ステップ１３０５又はステップ１３０６何れに進んだ場合も、次にステップ１３０７において、複製情報確信度決定部１１１は、複製データを確認した日時等の複製情報を更新して図８に示す処理を終了する。
【００５５】
ここで、一覧表示するデータの取得や、複製情報の取得及び表示の順番等は前後してもよく、情報処理装置１０１の負荷がより少ない方法で行えばよい。
【００５６】
以上説明したように第１の実施形態によれば、情報処理装置１０１からアクセス可能な複製データの複製情報を一覧表示させることができる。又、この一覧表示において、アクセス可能なる複製データと、その複製情報と共に、複製データの状態をも表示することができる。これにより、ユーザにとって、より利便性の高いＧＵＩを提供できる。
【００５７】
また、第１の実施形態によれば、情報処理装置１０１は、ユーザが、確信度の低い複製データしか有さないデータ（元データ）を誤って削除してしまうことを防止することもできる。例えば、情報処理装置１０１は、予め設定されている閾値より低い確信度の複製データしか有さないデータをユーザが削除しようとすると、確信度の低い複製データしか有さない旨を警告する。警告方法としては、例えば、ダイアログ表示等のＧＵＩ画面であってもよいし、警告音であってもよい。このようにすることで、確信度の低い複製データしか有さないデータ（元データ）を誤って削除してしまうことを防止することができる。
【００５８】
（第２の実施形態）
以下、第２の実施形態について詳細に説明する。なお、この第２の実施形態に係る情報処理装置１０１の構成は上述した第１の実施形態と同様であるため、その説明を省略する。
【００５９】
図９は、オフラインメディアに保存される複製データが一覧表示されたときに、そのデータに対して実行可能な操作をメニュー表示させた場合の画面の一例を示す図である。なお、図９に示される画面は、図２に示した一覧表示画面において、ユーザが入力部１１４を用いて２０６の縮小画像データを選択した状態で、更にユーザが入力部１１４からメニュー表示を表示する旨、指定すると表示される。
【００６０】
図９において、７０２のメニューは、７０１の縮小画像データが表すコンテンツデータに対して行うことのできる操作一覧である。
【００６１】
図１０は、図９の一部を拡大した図である。図１０において、８０１は、縮小画像データである。８０２は、縮小画像データが表すデータの複製データの保存先がＤＶＤメディアであることを示すアイコンである。８０３は、縮小画像データ８０１が表すデータに対して実行可能なメニューリストである。
【００６２】
ユーザは、入力部１１４等を用いて８０４の棚卸メニューを選択することによって、複製データの棚卸が実行できる。また、８０５は、縮小画像データ８０１が表すデータのファイル名及び作成日時である。
【００６３】
図１１は、情報処理装置１０１のＧＵＩにより表示部１１３に表示される棚卸メニューの遷移例を示す図である。
【００６４】
図１０の８０３で示したメニューのうち、棚卸メニュー９０１がユーザによって選択されると、情報処理装置１０１は、手入力による確認か、対象メディア（記憶媒体１０３等）が挿入されること等で行われる複製情報確信度決定部１１１による確認かの選択メニューを表示する。
【００６５】
ここで、手入力確認メニュー９０２をユーザが選択すると、情報処理装置１０１は、手入力で何を登録するかのリストを表示する。例えば、ユーザは、複製データが保存される対象ＤＶＤメディアデータの内容が他の情報処理装置等で確認された場合には、データＯＫリスト９０３を選択するとよい。若しくは、ユーザは、複製データが保存される対象ＤＶＤメディアが保管されていることが確認した場合には、メディアＯＫリスト９０４を選択するとよい。
【００６６】
メディアＯＫリスト９０４が選択、決定された際に表示する複製データ棚卸画面例を図１２に示す。図１２は、情報処理装置１０１のＧＵＩにより表示部１１３に表示される複製データ棚卸画面の一例を示す図である。複製データ棚卸画面には、複製情報記憶部１１２に保存されている複製データの情報が表示される。
【００６７】
図１２において、複製データ確認日時１００１、複製データ確信度１００２は、複製データのメディア保管が確認されることで更新される。１００３は、複製データ種類及び複製データが保存される場所を示す。図１２の例では、ＤＶＤメディアが複製データの種類であり、ＤＶＤメディアが保管される場所がリビングであることを示している。ユーザの手入力によって複製データの確認が行われる場合には、複製データの種類及びメディアが保管される場所はユーザが任意に入力できる。
【００６８】
以上説明したように、第２の実施形態によれば、ユーザの入力によって、複製データ確認日時及び複製データ確信度が更新される。更には複製データ種類や保存先の詳細場所等が登録できる。複製データ保存先が機器ならば、同じ機器が複数ある場合の機器の設置場所、また、複製データ保存先がメディアならば、メディア種類と共にメディアの置き場等が登録できる。このように、ユーザによって更新される複製情報を基に、アイコン生成部１０６は、生成するアイコンを変更することができる。
【００６９】
なお、ユーザが入力できる複製情報は、上記に限定するものではなく、メディアのメーカや、ユーザ情報等でもよく、ユーザが任意に入力できるようにしてもよい。更に、作成した複製データに関して、他人に譲った場合にも、その旨を明記することで、誰がデータを所有しているかを常に把握できる。また、ユーザが任意に入力する複製情報によっても、アイコンの画像が変化できるのが望ましく、どのように変化するかもユーザが設定できるようにしてもよい。
【００７０】
以上説明したように、第２の実施の形態によれば、オフラインメディア等、複製情報確信度決定部１１１が確認できない複製データに関して、ユーザが確認した結果を反映することができる。更には、その結果をアイコン生成部１０６が参照することで、ユーザの入力による複製情報の確認でもアイコンが変わるので、複製情報の状態をより柔軟に設定できる。また、より詳細な複製情報の状態を明示できるので、ユーザの利便性が向上する。
【００７１】
（第３の実施形態）
以下、第３の実施形態について詳細に説明する。なお、この第３の実施形態に係る情報処理装置１０１の構成は上述した第１の実施形態と同様であるため、その説明を省略する。
【００７２】
上述した第２の実施形態で説明したように、複製情報記憶部１１２にユーザ情報を入力することで、誰が管理する複製データなのかが分かるようにすることができる。本実施形態では、情報処理部１０２が、ユーザ認識部（図示せず）を更に備えることで、ユーザが自ら入力を行わなくても、ユーザ認識部におけるユーザ認識によって複製情報としてユーザ情報を登録することができる。つまり、情報処理部１０２によってデータが複製される際に、ユーザ認識部によって認識されるユーザ情報も、他の複製情報と合わせて複製情報記憶部１１２に記憶する。
【００７３】
図１３は、オフラインメディアに保存される複製データが一覧表示されるときに、その複製データの作成者アイコンも同時に表示する画面の一例を示す図である。１１０１は、縮小画像１１０３が表すコンテンツデータの複製データ保存先１１０２に、複製データを作成及び保存したユーザを表すアイコンである。同様に、図１３より、縮小画像データ１１０４が表すコンテンツデータの複製は、ユーザアイコン１１０５で表されるユーザが作成し、保存先アイコン１１０６が示すメディアに保存されていることが分かる。
【００７４】
これにより、メディアの保存先に加えて、複製データの作成者及び保存者が分かるので、ユーザが複製情報の内容について目安を立てるのに役立つ。例えば、複製データ作成ユーザ及び保存ユーザが機器操作に詳しいユーザ「Ｔａｒｏ」１１０１であれば、複製情報がきちんと生成されているという目安にできる。若しくは、複製データの保存されているメディア１１０６の保管場所や、保存先機器の設置場所が登録されていない場合でも、ユーザ「Ｈａｎａｋｏ」１１０５の部屋から探せばよい等の目安にできる。
【００７５】
なお、複製データの作成者を示すアイコンは、予め登録される画像から選択するだけでなく、デジタルカメラ等によって撮影されたユーザ画像を利用してもよい。また、複製データを作成したユーザ、複製データ情報を更新したユーザによって、アイコンの色等を変えることでユーザが行った複製データに関する操作が明示できるようにしてもよい。
【００７６】
以上説明したように、第３の実施の形態によれば、情報処理装置１０１は、複製データを作成したユーザ及び複製データを保存したユーザをデータ一覧表示時に表示することができる。
【００７７】
以上、上述した各実施形態によれば、複製データの管理状況をデータと同時に表示すると共に、複製データの保存先を明示することができる。
【００７８】
以上、本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【００７９】
【図１】情報処理装置１０１の機能構成を示すブロック図である。
【図２】情報処理装置１０１のＧＵＩにより表示部１１３に表示される画像の一例を示す図である。
【図３】情報処理装置１０１において、データを一覧表示する際の動作例を示すフローチャートである。
【図４】情報処理装置１０１のＧＵＩにより表示部１１３に表示されるアイコン画像と、機器又はメディアと、の対応表の一例を示す図である。
【図５】情報処理装置１０１のＧＵＩにより表示部１１３に表示されるアイコン画像の色と、確信度と、の対応表の一例を示す図である。
【図６】情報処理装置１０１のＧＵＩにより表示部１１３に表示されるＤＶＤメディアを確信度に応じて色分けで表現する場合の一例を示す図である。
【図７】複製情報確信度決定部１１１によって、確信度を決定する際の動作例を示すフローチャートである。
【図８】複製情報自動確認部及び接続時確認部を兼ねる複製情報確信度決定部１１１により、複製情報を確認する際の動作例を示すフローチャートである。
【図９】オフラインメディアに保存される複製データが一覧表示されたときに、そのデータに対して実行可能な操作をメニュー表示させた場合の画面の一例を示す図である。
【図１０】図９の一部を拡大した図である。
【図１１】情報処理装置１０１のＧＵＩにより表示部１１３に表示される棚卸メニューの遷移例を示す図である。
【図１２】情報処理装置１０１のＧＵＩにより表示部１１３に表示される複製データ棚卸画面の一例を示す図である。
【図１３】オフラインメディアに保存される複製データが一覧表示されるときに、その複製データの作成者アイコンも同時に表示する画面の一例を示す図である。
【符号の説明】
【００８０】
１０１  情報処理装置
１０２  情報処理部
１０３  記録媒体
１０４  記録媒体ドライブ
１０５  ハードディスク
１０６  アイコン生成部
１０７  出力制御部
１０８  ＣＰＵ
１０９  プログラムメモリ
１１０  メモリ
１１１  複製情報確信度決定部
１１２  複製情報記憶部
１１３  表示部
１１４  入力部
【図１】
2008033786.tif 000003
【図２】
2008033786.tif 000004
【図３】
2008033786.tif 000005
【図４】
2008033786.tif 000006
【図５】
2008033786.tif 000007
【図６】
2008033786.tif 000008
【図７】
2008033786.tif 000009
【図８】
2008033786.tif 000010
【図９】
2008033786.tif 000011
【図１０】
2008033786.tif 000012
【図１１】
2008033786.tif 000013
【図１２】
2008033786.tif 000014
【図１３】
2008033786.tif 000015